(57)【要約】【課題】位置情報取得の方法及び装置を提供する。【解決手段】開示される方法によれば、サーバが、端末によってアップロードされたトランザクションデータを取得し、上記トランザクションデータに含まれるトランザクションデバイス識別子及びトランザクションアドレス情報を決定し、上記トランザクションアドレス情報に基づいて上記トランザクションデバイス識別子に対応するトランザクションデバイスの位置情報を決定及び記憶する。上記方法を用いて、上記サーバは、上記トランザクションデバイスの上記位置情報を人手により記録する必要なしに、上記端末によってアップロードされた上記トランザクションデータを通して上記トランザクションデバイスの上記位置情報を自動的に記録することができ、それにより、上記トランザクションデバイスの上記位置情報取得の効率を効果的に高める。【選択図】図４
2019146173.tif 000002
【特許請求の範囲】
【請求項１】
一つ以上の計算装置によって実施される方法であって、
端末によってアップロードされたトランザクションデータを取得することと、
前記トランザクションデータに含まれるトランザクションデバイス識別子及びトランザクションアドレス情報を決定することと、
前記トランザクションアドレス情報の少なくとも一部に基づいて前記トランザクションデバイス識別子に対応するトランザクションデバイスの位置情報を決定及び記憶することと、
を具備する方法。
【請求項２】
前記トランザクションデバイスの前記位置情報を決定及び記憶することは、前記トランザクションデバイス識別子に対応する前記トランザクションデバイスの前記位置情報が予め記憶されていないということに応じて、前記トランザクションアドレス情報を、前記トランザクションデバイス識別子に対応する前記トランザクションデバイスの前記位置情報として決定及び記憶すること、を含む、請求項１に記載の方法。
【請求項３】
前記トランザクションデバイスの前記位置情報を決定及び記憶することは、前記トランザクションデバイス識別子に対応する前記トランザクションデバイスの前記位置情報が予め記憶されているということに応じて、前記トランザクションアドレス情報の少なくとも一部に基づいて、予め記憶した位置情報を修正することと、修正した前記位置情報を記憶することと、を含む、請求項１に記載の方法。
【請求項４】
前記端末の現在の位置情報と各トランザクションデバイスのそれぞれの記憶した位置情報との少なくとも一部に基づいて、前記端末から現在のところ設定距離未満である距離を有する一つ以上のトランザクションデバイスを決定すること、を更に具備する、請求項１に記載の方法。
【請求項５】
前記端末から現在のところ前記設定距離未満である前記距離を有する前記一つ以上のトランザクションデバイスの位置情報及び属性情報のそれぞれを、前記端末に提供すること、を更に具備する、請求項４に記載の方法。
【請求項６】
前記端末の事前設定された地理的な位置範囲に配置されている一つ以上のトランザクションデバイスの位置情報及び属性情報のそれぞれと、前記地理的な位置範囲の対応するタイプ情報と、を前記端末に提供すること、を更に具備する、請求項１に記載の方法。
【請求項７】
前記トランザクションデバイスは、自動販売機又は販売時点情報管理機を含む、請求項１に記載の方法。
【請求項８】
一つ以上のプロセッサによって実行されるときに、前記一つ以上のプロセッサに対して、
異なる報告時点において端末によって報告された地理的な位置情報のそれぞれを受信することと、
前記端末によってアップロードされたトランザクションデータを取得することと、
前記トランザクションデータに含まれるトランザクションデバイス識別子及びトランザクション時点を決定することと、
それぞれの前記報告時点と前記トランザクション時点との少なくとも一部に基づいて、前記トランザクション時点から最短の期間を有する報告時点を決定することと、
決定した前記報告時点において前記端末によって報告された地理的な位置情報の少なくとも一部に基づいて前記トランザクションデバイス識別子に対応するトランザクションデバイスの位置情報を決定及び記憶することと、
を具備する動作を実行させる実行可能な命令を記憶する、一つ以上のコンピュータ読み取り可能な媒体。
【請求項９】
前記トランザクションデバイスの前記位置情報を決定及び記憶することは、前記トランザクションデバイス識別子に対応する前記トランザクションデバイスの前記位置情報が予め記憶されていないということに応じて、前記トランザクションデバイス識別子に対応する前記トランザクションデバイスの前記位置情報を決定及び記憶すること、を含む、請求項８に記載の一つ以上のコンピュータ読み取り可能な媒体。
【請求項１０】
前記トランザクションデバイスの前記位置情報を決定及び記憶することは、前記トランザクションデバイス識別子に対応する前記トランザクションデバイスの前記位置情報が予め記憶されているということに応じて、前記決定した報告時点において前記端末によって報告された前記地理的な位置情報の少なくとも一部に基づいて予め記憶した位置情報を修正することと、修正した前記位置情報を記憶することと、を含む、請求項８に記載の一つ以上のコンピュータ読み取り可能な媒体。
【請求項１１】
前記動作は、前記端末の現在の位置情報と各トランザクションデバイスのそれぞれの記憶した位置情報との少なくとも一部に基づいて、前記端末から現在のところ設定距離未満である距離を有する一つ以上のトランザクションデバイスを決定すること、を更に具備する、請求項８に記載の一つ以上のコンピュータ読み取り可能な媒体。
【請求項１２】
前記動作は、前記端末から現在のところ前記設定距離未満である前記距離を有する前記一つ以上のトランザクションデバイスの位置情報及び属性情報のそれぞれを、前記端末に提供すること、を更に具備する、請求項１１に記載の一つ以上のコンピュータ読み取り可能な媒体。
【請求項１３】
前記動作は、前記端末の事前設定された地理的な位置範囲に配置されている一つ以上のトランザクションデバイスの位置情報及び属性情報のそれぞれと、前記地理的な位置範囲の対応するタイプ情報と、を前記端末に提供すること、を更に具備する、請求項８に記載の一つ以上のコンピュータ読み取り可能な媒体。
【請求項１４】
前記トランザクションデバイスは、自動販売機又は販売時点情報管理機を含む、請求項８に記載の一つ以上のコンピュータ読み取り可能な媒体。
【請求項１５】
一つ以上のプロセッサと、
メモリと、
端末によってアップロードされたトランザクションデータを取得するものであって、前記メモリに記憶されて、かつ、前記一つ以上のプロセッサによって実行可能な取得モジュールと、
前記取得モジュールによって取得された前記トランザクションデータに含まれるトランザクションデバイス識別子及びトランザクションアドレス情報を決定するものであって、前記メモリに記憶されて、かつ、前記一つ以上のプロセッサによって実行可能な決定モジュールと、
前記決定モジュールによって決定された前記トランザクションアドレス情報の少なくとも一部に基づいて前記トランザクションデバイス識別子に対応するトランザクションデバイスの位置情報を決定及び記憶するものであって、前記メモリに記憶されて、かつ、前記一つ以上のプロセッサによって実行可能な記憶モジュールと、
を具備する装置。
【請求項１６】
前記記憶モジュールは、前記記憶モジュールが、前記トランザクションデバイス識別子に対応する前記トランザクションデバイスの前記位置情報を予め記憶していないという事象において、前記トランザクションアドレス情報を、前記トランザクションデバイス識別子に対応する前記トランザクションデバイスの前記位置情報として決定及び記憶するように構成されている、請求項１５に記載の装置。
【請求項１７】
前記記憶モジュールは、前記記憶モジュールが、前記トランザクションデバイス識別子に対応する前記トランザクションデバイスの前記位置情報を予め記憶しているという事象において、前記トランザクションアドレス情報の少なくとも一部に基づいて予め記憶した位置情報を修正して、修正した前記位置情報を記憶するように更に構成されている、請求項１５に記載の装置。
【請求項１８】
前記端末の現在の位置情報と各トランザクションデバイスのそれぞれの記憶した位置情報との少なくとも一部に基づいて、前記端末から現在のところ設定距離未満である距離を有する一つ以上のトランザクションデバイスを決定するサービスモジュール、を更に具備する、請求項１５に記載の装置。
【請求項１９】
前記サービスモジュールは、前記端末から現在のところ前記設定距離未満である前記距離を有する前記一つ以上のトランザクションデバイスの位置情報及び属性情報のそれぞれを前記端末に提供するように更に構成されている、請求項１８に記載の装置。
【請求項２０】
前記端末の事前設定された地理的な位置範囲に配置されている一つ以上のトランザクションデバイスの位置情報及び属性情報のそれぞれと、前記地理的な位置範囲の対応するタイプ情報と、を前記端末に提供するサービスモジュール、を更に具備する、請求項１５に記載の装置。
【発明の詳細な説明】
【技術分野】
【０００１】
（関連特許出願への相互参照）
この出願は、“Method and Apparatus of Obtaining Location Information（位置情報取得の方法及び装置）”と題した、2014年８月29日出願の中国特許出願第 201410437944.5 号の外国優先権を主張し、その内容の全体が参照により本明細書に援用される。
【０００２】
（技術分野）
本開示は、コンピュータ技術の分野に関し、特に、位置情報を取得する方法及び装置に関する。
【背景技術】
【０００３】
ＰＯＳ（販売時点情報管理）機及び自動販売機などのトランザクションデバイスの普及により、利用者は、多額の現金を持ち運ぶ必要なく、利用者の所望の商品を便利に購入することが可能である。
【０００４】
近年、多くのアプリケーションシナリオにおいて、ＰＯＳ機又は自動販売機などのトランザクションデバイスの地理的な位置情報を取得する必要がある。
【０００５】
例えば、利用者の近隣での商品の購入に役立つために、サーバは、利用者の近所にある各トランザクションデバイスの地理的な位置情報を取得し、その情報を利用者に提供することができる。別の例では、トランザクションデバイスより返された失敗の警報情報を受信した場合、トランザクションデバイスの地理的な位置情報が取得され得るものであって、近隣の維持管理要員に対して時を得た通知をすることができるため、維持管理要員がトランザクションデバイスを修理することができる。
【０００６】
しかしながら、現在のトランザクションデバイスの多数は、それぞれの位置情報をサーバに報告する機能を有していない。したがって、現行の技術では、各トランザクションデバイスの位置情報は人手によって記録されて、その後サーバに取り入れなければならない。
【０００７】
明らかに、現行の技術は位置情報取得において低効率である。
【発明の概要】
【０００８】
この発明の概要を提供して、発明を実施するための形態で以下に更に説明される概念の一部を簡潔な形式で紹介する。この発明の概要では、主張する主題の重要な特徴又は必須の特徴を全て特定するという意図はなく、また主張する主題の範囲を決めるという目的としてのみ用いるという意図もない。例えば、用語「技術」は、上記の文脈によって及び本開示を通して許容されるような、デバイス（複数のデバイス）、システム（複数のシステム）、方法（複数の方法）及び／又はコンピュータ読み取り可能な命令を指し得る。
【０００９】
本開示の実施形態は、位置情報取得方法及び装置を提供して、現行の技術における位置情報取得においての低効率という課題を解決する。
【００１０】
本開示の一実施形態では、位置情報取得方法は、端末によってアップロードされたトランザクションデータを取得することと、上記トランザクションデータに含まれるトランザクションデバイス識別子及びトランザクションアドレス情報を決定することと、上記トランザクションアドレス情報に基づいて上記トランザクションデバイス識別子に対応するトランザクションデバイスの位置情報を決定及び記憶することと、を含み得る。
【００１１】
本開示の一実施形態では、位置情報取得方法は、異なる報告時点において端末によって報告された地理的な位置情報のそれぞれを受信することと、上記端末によってアップロードされたトランザクションデータを取得することと、上記トランザクションデータに含まれるトランザクションデバイス識別子及びトランザクション時点を決定することと、上記異なる報告時点及び上記トランザクション時点に基づいて上記トランザクション時点から最短の期間を有する報告時点を決定することと、該決定した報告時点において上記端末によって報告された地理的な位置情報に基づいて上記トランザクションデバイス識別子に対応するトランザクションデバイスの位置情報を決定及び記憶することと、を含み得る。
【００１２】
本開示の一実施形態では、位置情報取得装置は、端末によってアップロードされたトランザクションデータを取得する取得モジュールと、上記取得モジュールによって取得されている上記トランザクションデータに含まれるトランザクションデバイス識別子及びトランザクションアドレス情報を決定する決定モジュールと、上記決定モジュールによって決定されている上記トランザクションアドレス情報に基づいて上記トランザクションデバイス識別子に対応するトランザクションデバイスの位置情報を決定及び記憶する記憶モジュールと、を含み得る。
【００１３】
本開示の一実施形態では、位置情報取得装置は、異なる報告時点において端末によって報告された地理的な位置情報のそれぞれを受信する受信モジュールと、上記端末によってアップロードされたトランザクションデータを取得する取得モジュールと、上記トランザクションデータに含まれるトランザクションデバイス識別子及びトランザクション時点を決定する第一の決定モジュールと、上記異なる報告時点及び上記トランザクション時点に基づいて上記トランザクション時点から最短の期間を有する報告時点を決定する第二の決定モジュールと、該決定した報告時点において上記端末によって報告された地理的な位置情報に基づいて上記トランザクションデバイス識別子に対応するトランザクションデバイスの位置情報を決定及び記憶する記憶モジュールと、を含み得る。
【００１４】
本開示の実施形態により提供される位置情報取得方法及び装置によれば、サーバが、端末によってアップロードされたトランザクションデータを取得し、上記トランザクションデータに含まれるトランザクションデバイス識別子及びトランザクションアドレス情報を決定し、上記トランザクションアドレス情報に基づいて上記トランザクションデバイス識別子に対応するトランザクションデバイスの位置情報を決定及び記憶する。先述の方法を用いて、上記サーバは、上記トランザクションデバイスの上記位置情報を人手により記録する必要なしに、上記端末によってアップロードされている上記トランザクションデータを用いて上記トランザクションデバイスの上記位置情報を自動的に記録することができ、それにより、上記トランザクションデバイスの上記位置情報の取得における効率を効果的に高める。
【図面の簡単な説明】
【００１５】
本明細書で説明される添付の図面は、本開示のより深い理解を提供するために用いられ、本開示の一部を構成する。本開示の好ましい実施形態及びその説明は、本開示の説明に用いられ、本開示の限定として解釈されるものではない。図面は以下の通りである。
【００１６】
【図１】図１は、本開示の一実施形態による位置情報取得の処理である。
【図２】図２は、本開示の一実施形態による位置情報取得の別の処理である。
【図３】図３は、本開示の一実施形態による位置情報取得の装置の概略構成図である。
【図４】図４は、本開示の一実施形態による位置情報取得の別の装置の概略構成図である。
【発明を実施するための形態】
【００１７】
本開示の目的、技術的解決法及び利点をより理解しやすくするために、本開示の目的、技術的解決法及び利点を本開示の好ましい実施形態及びそれに対応する添付図面を参照して、本明細書において明確にかつ包括的に説明する。明らかに、説明する実施形態は、本開示の全ての実施形態ではなく本開示の実施形態の一部を表しているにすぎない。本開示の実施形態に基づいて、いかなる創意工夫なしに当業者が得る全ての他の実施形態は、本開示の保護範囲に属するものとなるだろう。
【００１８】
本開示の一実施形態においては、あるアプリケーション（すなわちＡＰＰ）を、電子決済用の従来の銀行カードと置き換わるように端末にインストールし得る。端末にインストールしたＡＰＰを用いて利用者が支払いを行う場合、ＡＰＰは、バックエンドのサーバに対して、トランザクションデバイスの識別子（例えば、自動販売機の識別子、ＰＯＳ機の識別子等である）及びトランザクションアドレス情報を含むトランザクションデータをアップロードし得る。このように、サーバは、端末によってアップロードされたトランザクションデータに基づいて、トランザクションデバイスの位置情報を取得及び記憶し得る。説明のため、以下に例を示す。
【００１９】
図１は、本開示の一実施形態による位置情報取得の処理であって、次の方法ブロックを含み得る。
【００２０】
Ｓ１０１では、端末によってアップロードされたトランザクションデータを取得する。
【００２１】
本開示の一実施形態では、利用者が、端末にインストールしたアプリケーション（ＡＰＰ）を用いて或るトランザクションデバイスを経由して電子決済を行う場合、ＡＰＰは、この決済と関連するトランザクションデータをサーバにアップロードし得る。したがって、サーバは端末によってアップロードされたトランザクションデータを取得できる。
【００２２】
例えば、或る決済ＡＰＰが、利用者の端末にインストールされている。決済ＡＰＰは、利用者に対して、例えばバーコード又は二次元コード等である固有のＤＯＩ（デジタルオブジェクトユニーク識別子）を生成し得るものであり、ＤＯＩは、ＡＰＰ上で利用者の口座（account）に紐付けられている。
【００２３】
利用者が自動販売機又はＰＯＳ機で支払いを行う場合、ＤＯＩを表示している端末を、自動販売機又はＰＯＳ機の画像撮影装置の前に直接置き、自動販売機又はＰＯＳ機がＤＯＩをスキャンできるようにし得る。
【００２４】
ＤＯＩのスキャン後、自動販売機又はＰＯＳ機は、ＤＯＩに紐付けられている口座の残高から消費額を差し引いて決済を完了する。ＤＯＩに紐付けられた口座の残高から相当額を差し引いた後、自動販売機又はＰＯＳ機が、例えば現在のトランザクションのトランザクション識別子（例えばトランザクションスイフト番号）、差し引き額、自動販売機又はＰＯＳ機の識別子（すなわちトランザクションデバイス識別子）である情報、自動販売機又はＰＯＳ機の予め規定されたトランザクションタイプ（例えば、自動販売機であれば予め規定されたトランザクションタイプはセルフサービスタイプであり、ＰＯＳ機であれば予め規定されたトランザクションタイプはスーパーマーケットトランザクションタイプ等である）、トランザクション時間の情報等を、記録するためにサーバにアップロードし得る。
【００２５】
利用者の口座から、相当額が差し引かれたことを検出した後、ＡＰＰが、現在のトランザクションのトランザクションデバイス識別子及びトランザクションアドレス情報を含むトランザクションデータを生成してトランザクションデータをサーバへアップデートし得る。
【００２６】
具体的には、利用者の口座から相当額が差し引かれたことを検出すると、ＡＰＰが、現在のトランザクションのトランザクション識別子に基づいて自動販売機又はＰＯＳ機によってアップロードされたトランザクション識別子に対応するトランザクションデバイス識別子をサーバから取得し、端末のＧＰＳ（全地球測位システム）を介して端末の現在の位置の情報を現在のトランザクションのトランザクションアドレス情報として決定し、かつ、サーバへのアップロードのために、取得したトランザクションデバイス識別子及び決定したトランザクションアドレス情報をトランザクションデータに含めることができる。
【００２７】
明らかに、上記説明は、ＡＰＰから生成されたＤＯＩをスキャンすることによって差し引きを行う自動販売機又はＰＯＳ機を例に用いて行ったにすぎない。実アプリケーションのシナリオでは、自動販売機又はＰＯＳ機はまた、例えば音波による決済（acoustic payment）を支援するＡＰＰ等であるような他の手法で、端末内にインストールされたＡＰＰとやりとりすることによって差し引きがなされてもよい。
【００２８】
Ｓ１０２では、トランザクションデータに含まれるトランザクションデバイス識別子及びトランザクションアドレス情報を決定する。
【００２９】
Ｓ１０３では、トランザクションアドレス情報に基づいてトランザクションデバイス識別子に対応するトランザクションデバイスの位置情報を決定及び記憶する。
【００３０】
端末によってアップロードされたトランザクションデバイス識別子及びトランザクションアドレス情報を含むトランザクションデータを受信すると、サーバが、Ｓ１０２で、トランザクションデータに含まれるトランザクションデバイス識別子及びトランザクションアドレス情報を決定する。利用者が端末を用いてトランザクションデバイス上で支払いをする場合、端末は確実に該トランザクションデバイスの近くにあるため、基本的に、端末の現在の位置情報がトランザクションデバイスの位置情報であると考えることができる。したがって、サーバは、Ｓ１０３で、トランザクションデータに含まれるトランザクションアドレス情報に基づいてトランザクションデバイス識別子に対応するトランザクションデバイスの位置情報を決定及び記憶することができる。具体的には、サーバは、トランザクションデバイス識別子に対応するトランザクションデバイスの位置情報として、トランザクションデータに含まれるトランザクションアドレス情報をそのまま記憶してもよい。
【００３１】
上記例を続けると、実アプリケーションのシナリオにおいて、利用者が端末上のＡＰＰを使用して自動販売機又はＰＯＳ機上で支払いをする場合、端末は確実に自動販売機又はＰＯＳ機の近くに位置する。そのため、この時にＡＰＰによってアップロードされた端末の現在の位置情報を、自動販売機又はＰＯＳ機の位置情報であると扱うことができる。したがって、サーバは、自動販売機又はＰＯＳ機の位置情報として、ＡＰＰによってアップロードされたトランザクションデータに含まれる位置情報を記憶する。
【００３２】
上記方法を用いて、サーバは、トランザクションデバイスの位置情報を人手により記録する必要なしに、端末によってアップロードされたトランザクションデータを通してトランザクションデバイスの位置情報を取得することができ、それにより、トランザクションデバイスの位置情報を取得することの効率を効果的に高める。
【００３３】
また、Ｓ１０２において、端末によってアップロードされたトランザクションデバイス識別子及びトランザクション位置情報をサーバで決定した後、サーバがその時のトランザクションデバイス識別子に対応するトランザクションデバイスの位置情報を記憶していなければ、Ｓ１０３において、サーバは、トランザクションデータに含まれるトランザクションアドレス情報を、トランザクションデバイス識別子に対応するトランザクションデバイスの位置情報として決定及び記憶できる。しかしながら、サーバがトランザクションデバイス識別子に対応するトランザクションデバイスの位置情報を予め記憶していれば、図１に示すようにＳ１０３において、サーバは、トランザクションデータ内のトランザクションアドレス情報に従って、該記憶した位置情報を修正して、該修正した位置情報を記憶することができる。例えば、サーバは、トランザクションデータ内のトランザクションデバイスの該記憶した位置情報及びトランザクションアドレス情報間の連結線を求めて、該連結線の中間点をトランザクションデバイスの修正した位置情報として記憶し得る。複数の端末から報告されたトランザクション情報に基づいて、かつ、トランザクションデバイスの位置情報の修正（複数の修正）を通して、トランザクションデバイスの位置の正確性及び信頼性を保証することが可能である。
【００３４】
利用者に対して近隣のトランザクションデバイスを検索し、それによって所望の商品の購入に役立つために、サーバが上記方法を用いて各トランザクションデバイスの位置情報を記憶した後で、サーバは更に、端末の現在の位置情報及び各トランザクションデバイスの該記憶した位置情報に基づいて、端末から現在のところ設定距離未満である距離を有するトランザクションデバイス（複数のトランザクションデバイス）を決定して、決定したトランザクションデバイスのそれぞれの位置情報及び属性情報のそれぞれを端末に提供してもよい。
【００３５】
端末は、その位置情報を周期的にサーバへ報告してもよい。トランザクションデバイスの上記属性情報は、トランザクションデバイスが配置されている店舗のタイプ及びトランザクションデバイスにより支援されるトランザクションタイプ、例えば、小商品セルフサービス属性、スーパーマーケットＰＯＳ機属性、飲食店ＰＯＳ機属性、衣料品店ＰＯＳ機属性等を示し得る。このように、利用者は、サーバによって提供されるトランザクションデバイス（複数のトランザクションデバイス）の位置情報及び属性情報を通して、周辺店舗及び利用可能な支払い形態を取得することが可能であり、これにより利用者の支出を促進する。
【００３６】
本開示の一実施形態では、トランザクションデバイス（複数のトランザクションデバイス）の記憶した位置情報に基づいて端末近くのトランザクションデバイス（複数のトランザクションデバイス）の位置情報及び属性情報を端末に提供する以外に、サーバは更に、事前設定された地理的な位置範囲内のトランザクションデバイスのそれぞれの位置情報を、端末に提供し得る。特に、サーバは、各トランザクションデバイスの記憶した位置情報及び地理的な位置範囲に基づいて、事前設定された地理的な位置範囲内に配置された各トランザクションデバイスの位置情報及び属性情報だけでなく地理的な位置範囲に対応するタイプ情報を端末に提供し得る。
【００３７】
例えば、店主が或る地域で販売プロモーションを行えば、その販売プロモーションの位置する地域を事前設定された地理的な位置範囲として、プロモーションタイプとして設定されている地理的な位置範囲に対応するタイプ情報とともにサーバに記憶してよい。サーバは、地理的な位置範囲内の各トランザクションデバイスの位置情報及び属性情報のそれぞれを端末に提供し、その後、各トランザクションデバイスの記憶した位置情報及び事前設定された地理的な位置範囲に基づいて、地理的な位置範囲に対応する「プロモーション」というタイプ情報を端末に提供することができ、これにより、利用者に対してこれらトランザクションデバイス経由の支出によって利用可能な販売プロモーションを得る助けとなる。明らかに、サーバはまた、販売プロモーションの詳細情報を予め記憶して、該詳細情報を端末に提供してもよい。
【００３８】
別の例では、或るエリアでクレジットカード不正が頻発すれば、そのエリアを、事前設定された地理的な位置範囲としてサーバに記憶することができ、該地理的な位置範囲に対応するタイプ情報を危険消費エリアタイプとして設定する。サーバは、その地理的な位置範囲における各トランザクションデバイスの位置情報及び属性情報のそれぞれを端末に提供して、各トランザクションデバイスの記憶した位置情報及び事前設定された地理的な位置範囲に基づいてその地理的な位置範囲に対応する「危険消費エリア」のタイプ情報を端末に提供することができるため、利用者は、その地理的な位置範囲内のこれらのトランザクションデバイス上で支払いをする場合に、個人情報盗難が発生する可能性があることを知ることができ、これにより、利用者の安全意識を高め、個人情報盗難又はクレジットカード不正の可能性を低減する。
【００３９】
理解できるように、本開示の位置情報取得方法の先述の例は、利用者が支払いをするために端末上のＡＰＰを用い、ＡＰＰがトランザクションデバイス識別子及び端末の現在の位置情報をサーバに報告することができるという前提に基づいている。利用者が端末上のＡＰＰを通して支払いをしなければ、サーバはトランザクションデバイスの位置情報を取得することができない。ゆえに、他のシナリオにおいて、サーバがトランザクションデバイスの位置情報を取得できるようにするために、本開示の実施形態により、以下に、図２に示すようなトランザクションデバイスの位置情報取得方法を更に提供する。
【００４０】
図２は、本開示の実施形態による位置情報取得の別の処理であって、次の方法ブロックを含む。
【００４１】
Ｓ２０１では、異なる報告時点において端末によって報告された地理的な位置情報のそれぞれを受信する。
【００４２】
本開示の一実施形態では、端末が、ＧＰＳ経由でその地理的な位置情報を決定し、かつ、該情報を、報告時点となるものである該地理的な位置情報を報告するそれぞれの時点とともに定期的にサーバへ報告することができる。サーバは、各報告時点において端末によって報告された地理的な位置情報を受信して、地理的な位置情報のそれぞれ及び端末が地理的な位置情報のそれぞれをアップロードするときであるそれぞれの報告時点を記憶することができる。
【００４３】
Ｓ２０２では、端末によってアップロードされたトランザクションデータを取得する。
【００４４】
Ｓ２０３では、トランザクションデータに含まれるトランザクションデバイス識別子及びトランザクション時点を決定する。
【００４５】
本開示の一実施形態では、端末によってアップデートされたトランザクションデータは、トランザクションデバイス識別子及びトランザクション時点を含み得る。
【００４６】
具体的には、増えつつある利用者が各端末にインストールした会計ＡＰＰを用いて日常的な支出をそれぞれ記録し、かつ、上記会計ＡＰＰでは通常、利用者の領収書（例えば、スーパーマーケットの領収書、請求書等）内にある消費額、消費の時間及びトランザクションデバイスの識別子を該領収書のスキャンによって記録するため、上記会計ＡＰＰは、スキャンにより取得した消費の時間をトランザクション時点として用いて、サーバにアップロードするために該トランザクション時点及び関連のトランザクションデバイス識別子を含むトランザクションデータを生成することができる。サーバは、Ｓ２０２で、端末によってアップロードされたトランザクションデータを取得し、Ｓ２０３で、トランザクションデータに含まれるトランザクションデバイス識別子及びトランザクション時点を決定する。
【００４７】
Ｓ２０４では、報告時点及びトランザクション時点に基づいて、トランザクション時点から最短の期間を有する報告時点を決定する。
【００４８】
サーバが、端末によって報告された地理的な位置情報のぞれぞれと、地理的な位置情報のそれぞれが報告されたときである各報告時点とを記録しているため、サーバは、端末によってアップロードされたトランザクションデータに含まれるトランザクション時点に基づいて、トランザクション時点から最短の期間を有する報告時点を決定することができる。
【００４９】
例えば、端末が、一つの地理的な位置情報Ｐ１を１７時５５分００秒に報告し、一つの地理的な位置情報Ｐ２を１７時５５分３０秒に報告し、一つの地理的な位置情報Ｐ３を１７時５６分００秒に報告すれば、サーバは、これらの三つの報告時点（１７時５５分００秒、１７時５５分３０秒及び１７時５６分００秒）と、対応する地理的な位置情報（Ｐ１、Ｐ２及びＰ３）のそれぞれとを記録する。Ｓ２０３で、サーバによって決定されたトランザクション時点が１７時５５分２０秒であれば、サーバは、１７時５５分２０秒というトランザクション時点に基づいて、該トランザクション時点から最短の期間を有する報告時点は１７時５５分３０秒であると決定し得る。
【００５０】
Ｓ２０５では、該決定した報告時点において端末によって報告された地理的な位置情報に基づいて、トランザクションデバイス識別子に対応するトランザクションデバイスの位置情報を決定及び記憶する。
【００５１】
具体的には、サーバは、トランザクションデバイス識別子に対応するトランザクションデバイスの位置情報として、決定した報告時点において端末によって報告された地理的な位置情報をそのまま用いて記憶してよい。
【００５２】
上記例を続けると、決定した報告時点１７時５５分３０秒に端末によって報告された地理的な位置情報Ｐ２を、トランザクションデータに含まれるトランザクションデバイス識別子に対応するトランザクションデバイスの位置情報として記憶するが、サーバがトランザクション時点１７時５５分２０秒から最短の期間を有する報告時点が１７時５５分３０秒であると決定したことを理由とする。
【００５３】
これは、あるトランザクション時点においてトランザクションデバイスを通して利用者が支払いをする場合に、利用者はトランザクションデバイス近くにいる必要があるからである。トランザクション時点に最も近い報告時点において利用者がいる位置はまた、トランザクションデバイスの実際の位置に最も近い。したがって、サーバは、位置情報を人手により記録する必要なしに、トランザクション時点に最も近い報告時点において端末によって報告された地理的な位置情報を、トランザクションデバイスの位置情報として記憶することができ、これにより位置情報取得の効率を効果的に高める。
【００５４】
明らかに、図２に示すような方法はまた、利用者がＡＰＰを用いてトランザクションデバイス経由で決済を遂行するシナリオに適用可能であり得る。サーバが、利用者の決済時点に最も近い報告時点を決定することができれば、サーバは、決定した報告時点において端末によって報告された地理的な位置情報をトランザクションデバイスの位置情報として記憶することができる。
【００５５】
理解できるように、図２に示す方法は、利用者がＡＰＰを用いてトランザクションデバイス上で決済を遂行するシナリオのみならず、利用者が会計ＡＰＰを用いて領収書をスキャンして会計を実行するシナリオにも適用可能である。
【００５６】
同様に、図２に示すような方法が、トランザクションデバイスの位置情報を取得するために用いられる場合、サーバはまた、トランザクション時点に最も近い報告時点において端末によって報告された地理的な位置情報に基づいてトランザクションデバイスの位置情報を決定するときに、サーバがトランザクションデバイスの位置情報を記憶しているか否かを判断してもよい。あるいは、サーバは、トランザクション時点に最も近い報告時点において端末によって報告された地理的な位置情報に従って、トランザクションデバイスの記憶した位置情報を修正してもよい。そうでなければ、サーバは、トランザクション時点に最も近いものである報告時点において端末によって報告された地理的な位置情報を、トランザクションデバイスの位置情報として、そのまま記憶してもよい。
【００５７】
同様に、図２に示すような方法を用いてトランザクションデバイスの位置情報を取得した後、サーバはまた、端末に近いトランザクションデバイス（複数のトランザクションデバイス）の位置情報及び属性情報のそれぞれを端末に提供するか、又は、事前設定された地理的な位置範囲内のトランザクションデバイス（複数のトランザクションデバイス）の対応する位置情報及び属性情報と地理的な位置範囲に対応するタイプ情報とを端末に提供してもよい。その詳細は、繰り返しであるためここでは記載しない。
【００５８】
本開示の実施形態による位置情報取得方法は上述している。同様の概念に基づいて、本開示の実施形態は、図３に示すような対応する位置情報取得装置を更に提供する。
【００５９】
図３は、本開示の実施形態による位置情報取得の装置３００の概略構成図である。一実施形態では、装置３００は、一つ以上の計算装置を含み得る。いくつかの実施形態では、装置３００は、一つ以上のＣＰＵ（中央処理装置）又はプロセッサ３０２と、Ｉ／Ｏインタフェース３０４と、ネットワークインタフェース３０６と、メモリ３０８と、を含み得る。
【００６０】
メモリ３０８は、例えば揮発性メモリ、ＲＡＭ（ランダムアクセスメモリ）及び／又は不揮発性メモリであるコンピュータ読み取り可能な媒体の形態である、例えば、ＲＯＭ（リードオンリメモリ）又はフラッシュＲＡＭ等を含み得る。メモリ３０８は、コンピュータ読み取り可能な媒体の一例である。
【００６１】
コンピュータ読み取り可能な媒体は、永続又は非永続型、可動又は非可動媒体を含み得るものであり、任意の方法又は技術を用いて情報の記憶を達成し得る。該情報は、コンピュータ読み取り可能な命令、データ構造、プログラムのモジュール又は他のデータを含み得る。コンピュータの記憶媒体は、例えば、限定するものではないが、ＰＲＡＭ（相変化メモリ）、ＳＲＡＭ（スタティックランダムアクセスメモリ）、ＤＲＡＭ（ダイナミックランダムアクセスメモリ）、他のタイプのＲＡＭ（ランダムアクセスメモリ）、ＲＯＭ（リードオンリメモリ）、ＥＥＰＲＯＭ（電気的に書き換え消去可能なＲＯＭ）、クイックフラッシュメモリもしくは他の内部記憶装置技術、ＣＤ−ＲＯＭ（コンパクトディスクリードオンリメモリ）、ＤＶＤ（デジタルバーサタイルディスク）もしくは他の光学記憶装置、磁気カセットテープ、磁気ディスク記憶装置もしくは他の磁気記憶装置又はその他の非一時的な媒体を含み、計算装置によりアクセスできる情報を記憶するために用いることができる。本明細書に規定するように、コンピュータ読み取り可能な媒体は、例えば変調データ信号及び搬送波である一時的な媒体を含まない。
【００６２】
一実施形態では、メモリ３０８は、プログラムモジュール３１０及びプログラムデータ３１２を含み得る。プログラムモジュール３１０は、取得モジュール３１４、決定モジュール３１６及び記憶モジュール３１８を含み得る。取得モジュールは、端末によってアップロードされたトランザクションデータを取得するように構成される。決定モジュール３１６は、取得モジュール３１４によって取得されたトランザクションデータに含まれるトランザクションデバイス識別子及びトランザクションアドレス情報を決定するように構成される。記憶モジュール３１８は、決定モジュール３１６によって決定されたトランザクションアドレス情報に基づいてトランザクションデバイス識別子に対応するトランザクションデバイスの位置情報を決定及び記憶するように構成される。
【００６３】
記憶モジュール３１８は、トランザクションデバイス識別子に対応するトランザクションデバイスの位置情報が記憶されていなければ、上記トランザクションアドレス情報を、トランザクションデバイス識別子に対応するトランザクションデバイスの位置情報として決定及び記憶し、トランザクションデバイス識別子に対応するトランザクションデバイスの位置情報が予め記憶されていれば、記憶した位置情報をトランザクションアドレス情報に従って修正して、修正した位置情報を記憶するように更に構成される。
【００６４】
装置３００は、端末の現在の位置情報及び各トランザクションデバイスの記憶した位置情報に基づいて、上記端末から現在のところ設定距離未満である距離を有するトランザクションデバイス（複数のトランザクションデバイス）を決定して、各決定したトランザクションデバイスの位置情報及び属性情報のそれぞれを端末に提供するように構成されたサービスモジュール３２０を更に含み得る。
【００６５】
装置３００は、各トランザクションデバイスの記憶した位置情報及び地理的な位置範囲に従って、事前設定された地理的な位置範囲に配置された各トランザクションデバイスの位置情報及び属性情報のそれぞれと、地理的な位置範囲に対応するタイプ情報と、を端末に提供するように構成されたサービスモジュール３２０を更に含み得る。
【００６６】
一実施形態では、図３に示すような装置３００は、サーバ内に設けられ得る。
【００６７】
図４は、本開示の実施形態による位置情報取得の別の装置４００の概略構成図である。装置４００は、一つ以上のプロセッサ４０２、入力／出力インタフェース４０４、ネットワークインタフェース４０６及びメモリ４０８を含み得る。メモリ４０８は、例えば揮発性メモリ、ＲＡＭ（ランダムアクセスメモリ）及び／又は不揮発性メモリであるコンピュータ読み取り可能な媒体の形態である、例えば、ＲＯＭ（リードオンリメモリ）又はフラッシュＲＡＭ等を含み得る。メモリ４０８は、先の説明で記載したようにコンピュータ読み取り可能な媒体の一例である。
【００６８】
一実施形態では、メモリ４０８は、プログラムモジュール４１０及びプログラムデータ４１２を含み得る。プログラムモジュール４１０は、異なる報告時点において端末によって報告された地理的な位置情報のそれぞれを受信するように構成された受信モジュール４１４と、上記端末によってアップロードされたトランザクションデータを取得するように構成された取得モジュール４１６と、上記トランザクションデータに含まれるトランザクションデバイス識別子及びトランザクション時点を決定するように構成された第一の決定モジュール４１８と、上記異なる報告時点及び上記トランザクション時点に基づいて上記トランザクション時点から最短の期間を有する報告時点を決定するように構成された第二の決定モジュール４２０と、該決定した報告時点において上記端末によって報告された地理的な位置情報のそれぞれに基づいて上記トランザクションデバイス識別子に対応するトランザクションデバイスの位置情報を決定及び記憶するように構成された記憶モジュール４２２と、を含み得る。
【００６９】
一実施形態では、図４に示すような装置４００は、サーバ内に設けられ得る。
【００７０】
本開示の実施形態により提供される位置情報取得方法及び装置によれば、サーバが、端末によってアップロードされたトランザクションデータを取得し、上記トランザクションデータに含まれるトランザクションデバイス識別子及びトランザクションアドレス情報を決定し、上記トランザクションアドレス情報に基づいて上記トランザクションデバイス識別子に対応するトランザクションデバイスの位置情報を決定及び記憶し得る。先の方法（複数の方法）を用いて、サーバは、トランザクションデバイスの位置情報を人手により記録する必要なしに、端末によってアップロードされたトランザクションデータを通してトランザクションデバイスの位置情報を自動的に記録することができ、それにより、トランザクションデバイスの位置情報を取得することの効率を効果的に高める。
【００７１】
“comprise（備える、具備する）”、“include（含む、包含する）”又はそれらのその他のバリエーションなどである用語は、非排他的な包含をカバーすることを意味していることにもまた留意されたい。ある一連の要素を含む処理、方法、製品又は装置は、それらの要素を含むだけでなく、明らかに列挙されていない他の要素もまた含み、又は、そうした処理、方法、製品又は装置内に既に存在する要素を更に含む。さらなる限定のない状態では、フレーズ“include a/an ...（・・・を含む）”によって規定される要素は、処理、方法、製品又は装置内にその他の同様の要素が存在することを除外しない。
【００７２】
当業者は、本開示の実施形態が、方法、システム又はコンピュータプログラム製品として提供可能であることを理解されたい。したがって、本開示は、ハードウェアのみの実施形態として、ソフトウェアのみの実施形態として、又は、ソフトウェア及びハードウェアを組み合わせた実施形態として実施可能である。更に、本開示は、コンピュータ実行可能な命令を記憶する一つ以上のコンピュータ読み取り可能な記憶媒体（限定するものではないが、磁気ディスク、ＣＤ−ＲＯＭ又は光ディスク等を含む）に記憶され得るコンピュータプログラム製品として実施可能である。
【００７３】
上記説明は、本開示の好ましい実施形態にすぎず、本開示を限定することを意図しない。当業者であれば、本開示は、様々な変形及び変更を有し得る。本開示の精神及び原理の範囲内でなされる任意の変形、同等の置換え及び改良等は、本開示の特許請求の範囲の保護範囲内に含まれるだろう。
【図１】
2019146173.tif 000003
【図２】
2019146173.tif 000004
【図３】
2019146173.tif 000005
【図４】
2019146173.tif 000006
【手続補正書】
【提出日】平成31年3月11日(2019.3.11)
【手続補正１】
【補正対象書類名】特許請求の範囲
【補正対象項目名】全文
【補正方法】変更
【補正の内容】
【特許請求の範囲】
【請求項１】
一つ以上の計算装置によって実施される方法であって、
端末がトランザクションデバイスに対してデジタルオブジェクトユニーク識別子を表示し、前記トランザクションデバイスが前記表示された前記デジタルオブジェクトユニーク識別子をスキャンすることによって、トランザクションに対する電子決済が行われる際に、前記端末によって生成されアップロードされたトランザクションデータを取得することと、
前記トランザクションデータに含まれるトランザクションデバイス識別子及びトランザクションアドレス情報を決定することと、
前記トランザクションアドレス情報の少なくとも一部に基づいて前記トランザクションデバイス識別子に対応する前記トランザクションデバイスの位置情報を決定及び記憶することと、
前記端末の事前設定された地理的な位置範囲に配置されている一つ以上のトランザクションデバイスのそれぞれの位置情報及び属性情報を、前記端末に提供することであって、前記属性情報は、前記一つ以上のトランザクションデバイスが配置されている店舗のタイプと、前記一つ以上のトランザクションデバイスによって支援されるトランザクションタイプと、のうちの少なくとも一つを含む、提供することと、
を具備する方法。
【請求項２】
前記トランザクションデバイスの前記位置情報を決定及び記憶することは、前記トランザクションデバイス識別子に対応する前記トランザクションデバイスの前記位置情報が予め記憶されていないということに応じて、前記トランザクションアドレス情報を、前記トランザクションデバイス識別子に対応する前記トランザクションデバイスの前記位置情報として決定及び記憶すること、を含む、請求項１に記載の方法。
【請求項３】
前記トランザクションデバイスの前記位置情報を決定及び記憶することは、前記トランザクションデバイス識別子に対応する前記トランザクションデバイスの前記位置情報が予め記憶されているということに応じて、前記トランザクションアドレス情報の少なくとも一部に基づいて、予め記憶した位置情報を修正することと、修正した前記位置情報を記憶することと、を含む、請求項１に記載の方法。
【請求項４】
前記端末の現在の位置情報と各トランザクションデバイスのそれぞれの記憶した位置情報との少なくとも一部に基づいて、現在前記端末から設定距離未満に位置する一つ以上のトランザクションデバイスを決定すること、を更に具備する、請求項１に記載の方法。
【請求項５】
現在前記端末から前記設定距離未満に位置する前記一つ以上のトランザクションデバイスのそれぞれの位置情報を、前記端末に提供すること、を更に具備する、請求項４に記載の方法。
【請求項６】
前記端末の前記事前設定された地理的な位置範囲に配置されている一つ以上のトランザクションデバイスのそれぞれの位置情報と、前記地理的な位置範囲における不正決済または個人情報盗難に関するタイプ情報と、を前記端末に提供すること、を更に具備する、請求項１に記載の方法。
【請求項７】
前記トランザクションデバイスは、自動販売機又は販売時点情報管理機を含む、請求項１に記載の方法。
【請求項８】
一つ以上のプロセッサによって実行されるときに、前記一つ以上のプロセッサに対して、
異なる報告時点において端末によって報告された地理的な位置情報のそれぞれを受信することと、
端末がトランザクションデバイスに対してデジタルオブジェクトユニーク識別子を表示し、前記トランザクションデバイスが前記表示された前記デジタルオブジェクトユニーク識別子をスキャンすることによって、トランザクションに対する電子決済が行われる際に、前記端末によって生成されアップロードされたトランザクションデータを取得することと、
前記トランザクションデータに含まれるトランザクションデバイス識別子及びトランザクション時点を決定することと、
それぞれの前記報告時点と前記トランザクション時点との少なくとも一部に基づいて、前記トランザクション時点から最短の期間を有する報告時点を決定することと、
決定した前記報告時点において前記端末によって報告された地理的な位置情報の少なくとも一部に基づいて前記トランザクションデバイス識別子に対応する前記トランザクションデバイスの位置情報を決定及び記憶することと、
前記端末の事前設定された地理的な位置範囲に配置されている一つ以上のトランザクションデバイスのそれぞれの位置情報及び属性情報を、前記端末に提供することであって、前記属性情報は、前記一つ以上のトランザクションデバイスが配置されている店舗のタイプと、前記一つ以上のトランザクションデバイスによって支援されるトランザクションタイプと、のうちの少なくとも一つを含む、提供することと、
を具備する動作を実行させる実行可能な命令を記憶する、一つ以上のコンピュータ読み取り可能な媒体。
【請求項９】
前記トランザクションデバイスの前記位置情報を決定及び記憶することは、前記トランザクションデバイス識別子に対応する前記トランザクションデバイスの前記位置情報が予め記憶されていないということに応じて、前記トランザクションデバイス識別子に対応する前記トランザクションデバイスの前記位置情報を決定及び記憶すること、を含む、請求項８に記載の一つ以上のコンピュータ読み取り可能な媒体。
【請求項１０】
前記トランザクションデバイスの前記位置情報を決定及び記憶することは、前記トランザクションデバイス識別子に対応する前記トランザクションデバイスの前記位置情報が予め記憶されているということに応じて、前記決定した報告時点において前記端末によって報告された前記地理的な位置情報の少なくとも一部に基づいて予め記憶した位置情報を修正することと、修正した前記位置情報を記憶することと、を含む、請求項８に記載の一つ以上のコンピュータ読み取り可能な媒体。
【請求項１１】
前記動作は、前記端末の現在の位置情報と各トランザクションデバイスのそれぞれの記憶した位置情報との少なくとも一部に基づいて、現在前記端末から設定距離未満に位置する一つ以上のトランザクションデバイスを決定すること、を更に具備する、請求項８に記載の一つ以上のコンピュータ読み取り可能な媒体。
【請求項１２】
前記動作は、現在前記端末から前記設定距離未満に位置する前記一つ以上のトランザクションデバイスのそれぞれの位置情報を、前記端末に提供すること、を更に具備する、請求項１１に記載の一つ以上のコンピュータ読み取り可能な媒体。
【請求項１３】
前記動作は、前記端末の前記事前設定された地理的な位置範囲に配置されている一つ以上のトランザクションデバイスのそれぞれの位置情報と、前記地理的な位置範囲における不正決済または個人情報盗難に関するタイプ情報と、を前記端末に提供すること、を更に具備する、請求項８に記載の一つ以上のコンピュータ読み取り可能な媒体。
【請求項１４】
前記トランザクションデバイスは、自動販売機又は販売時点情報管理機を含む、請求項８に記載の一つ以上のコンピュータ読み取り可能な媒体。
【請求項１５】
一つ以上のプロセッサと、
メモリと、
端末がトランザクションデバイスに対してデジタルオブジェクトユニーク識別子を表示し、前記トランザクションデバイスが前記表示された前記デジタルオブジェクトユニーク識別子をスキャンすることによって、トランザクションに対する電子決済が行われる際に、前記端末によって生成されアップロードされたトランザクションデータを取得するものであって、前記メモリに記憶されて、かつ、前記一つ以上のプロセッサによって実行可能な取得モジュールと、
前記取得モジュールによって取得された前記トランザクションデータに含まれるトランザクションデバイス識別子及びトランザクションアドレス情報を決定するものであって、前記メモリに記憶されて、かつ、前記一つ以上のプロセッサによって実行可能な決定モジュールと、
前記決定モジュールによって決定された前記トランザクションアドレス情報の少なくとも一部に基づいて前記トランザクションデバイス識別子に対応する前記トランザクションデバイスの位置情報を決定及び記憶するものであって、前記メモリに記憶されて、かつ、前記一つ以上のプロセッサによって実行可能な記憶モジュールと、
前記端末の事前設定された地理的な位置範囲に配置されている一つ以上のトランザクションデバイスのそれぞれの位置情報及び属性情報を、前記端末に提供するサービスモジュールであって、前記属性情報は、前記一つ以上のトランザクションデバイスが配置されている店舗のタイプと、前記一つ以上のトランザクションデバイスによって支援されるトランザクションタイプと、のうちの少なくとも一つを含み、前記サービスモジュールは、前記メモリに記憶されて、かつ、前記一つ以上のプロセッサによって実行可能である、サービスモジュールと、
を具備する装置。
【請求項１６】
前記記憶モジュールは、前記記憶モジュールが、前記トランザクションデバイス識別子に対応する前記トランザクションデバイスの前記位置情報を予め記憶していないという事象において、前記トランザクションアドレス情報を、前記トランザクションデバイス識別子に対応する前記トランザクションデバイスの前記位置情報として決定及び記憶するように構成されている、請求項１５に記載の装置。
【請求項１７】
前記記憶モジュールは、前記記憶モジュールが、前記トランザクションデバイス識別子に対応する前記トランザクションデバイスの前記位置情報を予め記憶しているという事象において、前記トランザクションアドレス情報の少なくとも一部に基づいて予め記憶した位置情報を修正して、修正した前記位置情報を記憶するように更に構成されている、請求項１５に記載の装置。
【請求項１８】
前記サービスモジュールは、前記端末の現在の位置情報と各トランザクションデバイスのそれぞれの記憶した位置情報との少なくとも一部に基づいて、現在前記端末から設定距離未満に位置する一つ以上のトランザクションデバイスを決定するように更に構成されている、請求項１５に記載の装置。
【請求項１９】
前記サービスモジュールは、現在前記端末から前記設定距離未満に位置する前記一つ以上のトランザクションデバイスのそれぞれの位置情報を、前記端末に提供するように更に構成されている、請求項１８に記載の装置。
【請求項２０】
前記サービスモジュールは、前記端末の事前設定された地理的な位置範囲に配置されている一つ以上のトランザクションデバイスのそれぞれの位置情報と、前記地理的な位置範囲における不正決済または個人情報盗難に関するタイプ情報と、を前記端末に提供するように更に構成されている、請求項１５に記載の装置。
【外国語明細書】
2019146173000001.pdf